(57)【要約】【課題】従来の反射型スクリーンと比較して、投写画像のコントラストの一層の向上を図ることが可能な反射型スクリーンを提供する。【解決手段】斜めから投写される投写光を使用者に向けて反射する反射型スクリーンであって、少なくとも一方の面に複数の凹凸部を有する基材と、凹凸部２２の一部に形成された反射部３０と、凹凸部２２のうち反射部３０とは異なる部分に形成され、投写光とは異なる方向から入射する外光の少なくとも一部を吸収する第１吸収部４０と、第１吸収部４０で吸収されずに反射された外光の少なくとも一部を吸収する第２吸収部４２とを備えることを特徴とする反射型スクリーン１０。【選択図】図２
2012252034.tif 000002
【特許請求の範囲】
【請求項１】
斜めから投写される投写光を使用者に向けて反射する反射型スクリーンであって、
少なくとも一方の面に複数の凹凸部を有する基材と、
前記凹凸部の一部に形成された反射部と、
前記凹凸部のうち反射部とは異なる部分に形成され、前記投写光とは異なる方向から入射する外光の少なくとも一部を吸収する第１吸収部と、
前記第１吸収部で吸収されずに反射された外光の少なくとも一部を吸収する第２吸収部とを備えることを特徴とする反射型スクリーン。
【請求項２】
請求項１に記載の反射型スクリーンにおいて、
前記凹凸部は、鋸刃状の断面形状を有する山形形状からなることを特徴とする反射型スクリーン。
【請求項３】
請求項２に記載の反射型スクリーンにおいて、
前記反射部は、前記山形形状の峰で区分される２つの領域のうち一方側に形成され、
前記第１吸収部は、前記山形形状の峰で区分される２つの領域のうち他方側に形成され、
前記第２吸収部は、前記第１吸収部と連続していることを特徴とする反射型スクリーン。
【請求項４】
請求項３に記載の反射型スクリーンにおいて、
前記山形形状の配列パターンは、当該反射型スクリーンを前記使用者側から見たとき、前記山形形状が直線に沿って形成された配列パターンからなり、
前記第２吸収部は、溝状の形状を有することを特徴とする反射型スクリーン。
【請求項５】
請求項３に記載の反射型スクリーンにおいて、
前記山形形状の配列パターンは、当該反射型スクリーンを前記使用者側から見たとき、前記山形形状が円弧に沿って形成された配列パターンからなり、
前記第２吸収部は、溝状の形状を有することを特徴とする反射型スクリーン。
【請求項６】
請求項４又は５に記載の反射型スクリーンにおいて、
前記溝状の形状における断面形状は、四角形状からなることを特徴とする反射型スクリーン。
【請求項７】
請求項４又は５に記載の反射型スクリーンにおいて、
前記溝状の形状における断面形状は、半円形状からなることを特徴とする反射型スクリーン。
【請求項８】
請求項１〜７に記載の反射型スクリーンにおいて、
前記第１吸収部の表面及び前記第２吸収部の表面は、光吸収性の材料からなることを特徴とする反射型スクリーン。
【請求項９】
請求項１〜８に記載の反射型スクリーンにおいて、
前記第１吸収部の表面及び前記第２吸収部の表面は、粗面からなり、
前記反射部の表面は、平滑面からなることを特徴とする反射型スクリーン。
【請求項１０】
請求項１〜８に記載の反射型スクリーンにおいて、
前記反射部の表面、前記第１吸収部の表面及び前記第２吸収部の表面は、粗面からなることを特徴とする反射型スクリーン。
【発明の詳細な説明】
【技術分野】
【０００１】
本発明は、反射型スクリーンに関する。
【背景技術】
【０００２】
従来、斜めから投写される投写光を使用者に向けて反射する反射型スクリーンであって、少なくとも一方の面に複数の凹凸部を有する基材と、凹凸部の一部に形成された反射部と凹凸部のうち反射部とは異なる部分に形成され、投写光とは異なる方向から入射する外光の少なくとも一部を吸収する吸収部とを備える反射型スクリーン（例えば、特許文献１参照。）が知られている。
【０００３】
従来の反射型スクリーンによれば、反射部を備えるため、斜めから投写される投写光を使用者に向けて反射することが可能となり、より明るい投写画像を得ることが可能となる。また、従来の反射型スクリーンによれば、吸収部を備えるため、吸収部で外光の少なくとも一部を吸収することにより、明るい環境においても投写画像のコントラストの向上を図ることが可能となる。
【先行技術文献】
【特許文献】
【０００４】
【特許文献１】特開２００６−０２３６９３号公報
【発明の概要】
【発明が解決しようとする課題】
【０００５】
ところで、吸収部の表面には、一般的に黒色の材料が用いられる。黒色は他の色と比較して多くの光を吸収することが可能である。しかしながら、黒色の材料でも光を１００％吸収することはできないため（例えば、黒布や黒紙においては、５〜１５％程度の光を吸収できずに反射してしまう。）、従来の反射型スクリーンにおいては、投写画像のコントラストの一層の向上を図ることが困難であるという問題がある。
【０００６】
そこで、本発明は上記の問題を解決するためになされたもので、従来の反射型スクリーンと比較して、投写画像のコントラストの一層の向上を図ることが可能な反射型スクリーンを提供することを目的とする。
【課題を解決するための手段】
【０００７】
[１]本発明の反射型スクリーンは、斜めから投写される投写光を使用者に向けて反射する反射型スクリーンであって、少なくとも一方の面に複数の凹凸部を有する基材と、前記凹凸部の一部に形成された反射部と、前記凹凸部のうち反射部とは異なる部分に形成され、前記投写光とは異なる方向から入射する外光の少なくとも一部を吸収する第１吸収部と、前記第１吸収部で吸収されずに反射された外光の少なくとも一部を吸収する第２吸収部とを備えることを特徴とする。
【０００８】
このため、本発明の反射型スクリーンによれば、第２吸収部を備えるため、第１吸収部で吸収されずに反射した外光の少なくとも一部を吸収することが可能となり、その結果、従来の反射型スクリーンと比較して、投写画像のコントラストの一層の向上を図ることが可能となる。
【０００９】
また、本発明の反射型スクリーンによれば、反射部を備えるため、従来の反射型スクリーンと同様に、斜めから投写される投写光を使用者に向けて反射することが可能となり、より明るい投写画像を得ることが可能となる。
【００１０】
また、本発明の反射型スクリーンによれば、第１吸収部を備えるため、従来の反射型スクリーンと同様に、外光の少なくとも一部を吸収することができ、明るい環境においても投写画像のコントラストの向上を図ることが可能となる。なお、本発明の第１吸収部は、従来の反射型スクリーンにおける吸収部に相当する構成要素である。
【００１１】
本発明における第２吸収部は、第１吸収部で吸収されずに反射した外光の少なくとも一部のみならず、第２吸収部に直接入射する外光の少なくとも一部を吸収することができる。
【００１２】
[２]本発明の反射型スクリーンにおいては、前記凹凸部は、鋸刃状の断面形状を有する山形形状からなることが好ましい。
【００１３】
このような構成とすることにより、山形形状における一方の領域に反射部を形成することができ、斜めから投写される投写光を使用者に向けて反射することが可能となる。また、山形形状における他方の領域に第１吸収部を形成でき、明るい環境においても投写画像のコントラストの向上を図ることが可能となる。
【００１４】
「鋸刃状の断面形状を有する山形形状」とは、山形形状のうち、断面形状としてみたときに峰で区分される一方の領域と他方の領域とで傾斜角度が異なる形状のことをいう（後述する図２参照。）。
【００１５】
[３]本発明の反射型スクリーンにおいては、前記反射部は、前記山形形状の峰で区分される２つの領域のうち一方側に形成され、前記第１吸収部は、前記山形形状の峰で区分される２つの領域のうち他方側に形成され、前記第２吸収部は、前記第１吸収部と連続していることが好ましい。
【００１６】
本発明の反射型スクリーンによれば、第２吸収部は、第１吸収部と連続しているため、第１吸収部で反射された外光を第２吸収部に到達させ易くすることが可能となる。
【００１７】
[４]本発明の反射型スクリーンにおいては、前記山形形状の配列パターンは、当該反射型スクリーンを前記使用者側から見たとき、前記山形形状が直線に沿って形成された配列パターンからなり、前記第２吸収部は、溝状の形状を有することが好ましい。
【００１８】
本発明の反射型スクリーンによれば、第２吸収部は溝状の形状を有するため、第１吸収部で反射された外光が溝状の第２吸収部に入り込むようになり、第１吸収部で吸収されずに反射された外光の少なくとも一部を吸収することが可能となる。その結果、本発明の反射型スクリーンは、従来の反射型スクリーンと比較して、投写画像のコントラストのより一層の向上を図ることが可能となる。
【００１９】
また、本発明の反射型スクリーンによれば、山形形状の配列パターンは、当該反射型スクリーンを使用者側から見たとき、山形形状が直線に沿って形成された配列パターンからなるため、プレス成形等の一般的な方法で本発明の反射型スクリーンを容易に製造することが可能となる。
【００２０】
[５]本発明の反射型スクリーンにおいては、前記山形形状の配列パターンは、当該反射型スクリーンを前記使用者側から見たとき、前記山形形状が円弧に沿って形成された配列パターンからなり、前記第２吸収部は、溝状の形状を有することが好ましい。
【００２１】
本発明の反射型スクリーンによれば、第２吸収部は溝状の形状を有するため、第１吸収部で反射された外光が溝状の第２吸収部に入り込むようになり、第１吸収部で吸収されずに反射された外光の少なくとも一部を吸収することが可能となる。その結果、本発明の反射型スクリーンは、従来の反射型スクリーンと比較して、投写画像のコントラストのより一層の向上を図ることが可能となる。
【００２２】
また、本発明の反射型スクリーンによれば、山形形状の配列パターンは、当該反射型スクリーンを使用者側から見たとき、山形形状が円弧に沿って形成された配列パターンからなるため、より多くの投写光を反射型スクリーンの正面にいる使用者に向けて反射することが可能となる。
【００２３】
[６]本発明の反射型スクリーンにおいては、前記溝状の形状における断面形状は、四角形状からなることが好ましい。
【００２４】
このような構成とすることにより、第１吸収部で反射された外光が、第２吸収部に入り込みやすくなり、第１吸収部で吸収されずに反射された外光をより多く吸収することが可能となる。
【００２５】
なお、本明細書において、「四角形状」とは、正方形や長方形等を含む形状のことをいう。
【００２６】
[７]本発明の反射型スクリーンにおいては、前記溝状の形状における断面形状は、半円形状からなることが好ましい。
【００２７】
このような構成とすることによっても、第１吸収部で反射された外光が、第２吸収部に入り込みやすくなり、第１吸収部で吸収されずに反射された外光をより多く吸収することが可能となる。
【００２８】
なお、本明細書において、「半円形状」とは、厳密な半円形状のみをことをいうものではなく、半円に類似する曲線形状を有する形状を含む形状（例えば、オーバルの類を半分に切断した形状）のこともいう。
【００２９】
[８]本発明の反射型スクリーンにおいては、前記第１吸収部の表面及び前記第２吸収部の表面は、光吸収性の材料からなることが好ましい。
【００３０】
このような構成とすることにより、より多くの外光を吸収することができる。
【００３１】
[９]本発明の反射型スクリーンにおいては、前記第１吸収部の表面及び前記第２吸収部の表面は、粗面からなり、前記反射部の表面は、平滑面からなることが好ましい。
【００３２】
このような構成とすることにより、第１吸収部の表面及び第２吸収部の表面で外光を散乱することが可能となり、使用者に向かう外光を減らすことが可能となる。その結果、従来の反射型スクリーンと比較して、投写画像のコントラストのより一層の向上を図ることが可能となる。
【００３３】
また、上記［９］に記載の反射型スクリーンにおいては、反射部の表面は平滑面であるため、投写光を散乱することなく使用者に向けて反射することが可能となり、投写画像の明るさを損なうこともない。
【００３４】
[１０]本発明の反射型スクリーンおいては、前記反射部の表面、前記第１吸収部の表面及び前記第２吸収部の表面は、粗面からなることも好ましい。
【００３５】
このような構成とすることによっても、第１吸収部の表面及び前記第２吸収部の表面で外光を散乱することが可能となり、使用者に向かう外光を減らすことが可能となる。その結果、従来の反射型スクリーンと比較して、投写画像のコントラストのより一層の向上を図ることが可能となる。
【００３６】
また、上記［１０］に記載の反射型スクリーンにおいては、反射部の表面を除外することなく粗面加工（マイクロビーズの吹きつけ加工等）をして反射型スクリーンを製造することができるため、反射型スクリーンの製造が容易となり、ひいては、反射型スクリーンの製造コストの低減を図ることが可能となる。
【図面の簡単な説明】
【００３７】
【図１】実施形態１に係る反射型スクリーン１０を用いたプロジェクションシステムの構成図。
【図２】実施形態１に係る反射型スクリーン１０を説明するために示す図。
【図３】実施形態１に係る反射型スクリーン１０の正面図。
【図４】実施形態２に係る反射型スクリーン１２を説明するために示す図。
【図５】実施形態３に係る反射型スクリーン１４の正面図。
【図６】変形例に係る反射型スクリーン１６を説明するために示す図。
【発明を実施するための形態】
【００３８】
以下、本発明の反射型スクリーンについて、図に示す実施の形態に基づいて説明する。
【００３９】
［実施形態１］
図１は、実施形態１に係る反射型スクリーン１０を用いたプロジェクションシステムの構成図である。図１（ａ）はプロジェクションシステムの一の構成図であり、図１（ｂ）はプロジェクションシステムの他の構成図である。
図２は、実施形態１に係る反射型スクリーン１０を説明するために示す図である。図２（ａ）は反射型スクリーン１０の要部断面図であり、図２（ｂ）は図２（ａ）の符号Ａで示す部分を拡大して示す図である。
図３は、実施形態１に係る反射型スクリーン１０の正面図である。なお、図３においては、説明のために山形形状（凹凸部２２）の配列パターンを簡素化して図示している。
【００４０】
実施形態１に係る反射型スクリーン１０は、図１に示すように、例えば近接投写型のプロジェクター１を備えるプロジェクションシステムに用いる反射型スクリーンであって、斜めから投写される投写光を使用者に向けて反射することにより、プロジェクター１からの画像光を拡大投影するものである。
【００４１】
反射型スクリーン１０は、図２に示すように、斜めから投写される投写光を使用者に向けて反射する反射型スクリーンであって、一方の面に複数の凹凸部２２を有する基材２０と、凹凸部２２の一部に形成された反射部３０と、凹凸部２２のうち反射部３０とは異なる部分に形成され、投写光とは異なる方向から入射する外光の少なくとも一部を吸収する第１吸収部４０と、第１吸収部４０で吸収されずに反射された外光の少なくとも一部を吸収する第２吸収部４２とを備える。
【００４２】
基材２０における凹凸部２２は、図２に示すように、山形形状のうち、断面形状としてみたときに峰２４で区分される一方の領域と他方の領域とで傾斜角度が異なる形状であり、すなわち、鋸刃状の断面形状を有する山形形状からなる。
山形形状の配列パターンは、当該反射型スクリーンを使用者側から見たとき、山形形状が直線に沿って形成された配列パターンからなる。（図３参照。）。
【００４３】
基材２０は光吸収性の材料（特に、黒色の材料が好ましい。）からなり、例えば、光吸収性フィラーと、弾性を有するバインダー樹脂とを有する。
光吸収性フィラーとしては、例えば、カーボンブラック等の顔料や、黒色系の色素粒子等を好適に用いることができる。
バインダー樹脂としては、例えば、弾性を有する熱可塑性エラストマーを好適に用いることができる。具体的には、塩化ビニル系樹脂、ウレタン系樹脂、ポリオレフィン系樹脂などを好適に用いることができる。
【００４４】
なお、上記の光吸収性フィラー及びバインダー樹脂のほか、添加剤として、硬化剤、帯電防止剤、防汚処理剤、バインダー樹脂の劣化を防ぐための紫外線吸収剤などを適宜添加してもよい。
【００４５】
反射部３０は、図２に示すように、山形形状の峰で区分される２つの領域のうち一方側（傾斜角度が緩い方）に形成され、斜めから投写される投写光を使用者に向けて反射する。詳しい説明は省略するが、反射部３０の表面は平滑面からなる。
反射部３０を形成するための材料は、例えば、光を反射するフィラーと、紫外線硬化性バインダー樹脂とからなる。反射部３０を形成するための材料としては、正反射成分の大きな材料を用いることが好ましい。
【００４６】
光を反射するフィラーとしては、例えば、シリカ、酸化チタン、雲母、硫酸バリウム、塩化バリウム又はアルミニウム等の金属粉を好適に用いることができる。
紫外線硬化性バインダー樹脂としては、例えば、塩化ビニル系樹脂、ウレタン系樹脂、ポリオレフィン系樹脂、ポリエステル系樹脂などを好適に用いることができる。
【００４７】
なお、上記の光を反射するフィラー及び紫外線硬化性バインダー樹脂のほか、添加剤として、硬化剤、帯電防止剤、防汚処理剤、バインダー樹脂の劣化を防ぐための紫外線吸収剤などを適宜添加してもよい。
【００４８】
反射部としては、蒸着したアルミニウムその他の材料からなる層を用いてもよい。
【００４９】
第１吸収部４０は、山形形状の峰で区分される２つの領域のうち他方側に形成され、投写光とは異なる方向から入射する外光を吸収する。
【００５０】
第２吸収部４２は、溝状の形状を有し、第１吸収部４０と連続している。第２吸収部４２は、溝状の形状における断面形状が四角形状からなる。また、第１吸収部４０の表面及び第２吸収部４２の表面は、粗面加工（マイクロビーズの吹きつけ加工等）が施された粗面からなる。
【００５１】
ここで、外光が、第１吸収部４０及び第２吸収部４２において吸収される様子を説明する。
第１吸収部４０に入射した外光は、図２に示すように、第１吸収部４０においてその少なくとも一部が吸収される。しかしながら、第１吸収部４０に入射した外光のうち一部の外光は、第１吸収部４０で吸収されずに反射される。反射した当該外光は、第１吸収部４０と連続している第２吸収部４２に入射し、第２吸収部４２においてその少なくとも一部が吸収される。
【００５２】
第２吸収部４２は、第１吸収部４０で吸収されずに反射された外光の少なくとも一部のみならず、第２吸収部４２に直接入射する外光の少なくとも一部も吸収することができる。
【００５３】
実施形態１に係る反射型スクリーン１０における、第１吸収部４０の表面及び第２吸収部４２の表面は、基材２０そのものであり、光吸収性の材料からなる。
【００５４】
なお、基材の表面に光吸収性の材料をコーティングすることにより、第１吸収部の表面及び第２吸収部の表面を光吸収性の材料からなるものとしてもよい。
【００５５】
このように、実施形態１に係る反射型スクリーン１０によれば、第２吸収部４２を備えるため、第１吸収部４０で吸収されずに反射された外光の少なくとも一部を吸収することが可能となり、その結果、従来の反射型スクリーンと比較して、投写画像のコントラストの一層の向上を図ることが可能となる。
【００５６】
また、実施形態１に係る反射型スクリーン１０によれば、反射部３０を備えるため、従来の反射型スクリーンと同様に、斜めから投写される投写光を使用者に向けて反射することが可能となり、より明るい投写画像を得ることが可能となる。
【００５７】
また、実施形態１に係る反射型スクリーン１０によれば、第１吸収部４０を備えるため、従来の反射型スクリーンと同様に、外光の少なくとも一部を吸収することができ、明るい環境においても投写画像のコントラストの向上を図ることが可能となる。
【００５８】
また、実施形態１に係る反射型スクリーン１０によれば、第２吸収部４２は、第１吸収部４０と連続しているため、第１吸収部４０で反射された外光を第２吸収部４２に到達させ易くすることが可能となる。
【００５９】
また、実施形態１に係る反射型スクリーン１０によれば、第２吸収部４２は溝状の形状を有するため、第１吸収部４０で反射された外光の少なくとも一部が溝状の第２吸収部４２に入り込むようになり、第１吸収部４０で吸収されずに反射された外光の少なくとも一部を吸収することが可能となる。その結果、実施形態１に係る反射型スクリーン１０は、従来の反射型スクリーンと比較して、投写画像のコントラストのより一層の向上を図ることが可能となる。
【００６０】
また、実施形態１に係る反射型スクリーン１０によれば、山形形状の配列パターンは、当該反射型スクリーンを使用者側から見たとき、山形形状が直線に沿って形成された配列パターンからなるため、プレス成形等の一般的な方法で本発明の反射型スクリーンを容易に製造することが可能となる。
【００６１】
また、実施形態１に係る反射型スクリーン１０によれば、基材２０（第１吸収部の表面及び第２吸収部の表面）は、光吸収性の材料からなるため、より多くの外光を吸収することができる。
【００６２】
また、実施形態１に係る反射型スクリーン１０によれば、第１吸収部４０の表面及び第２吸収部４２の表面が粗面からなるため、第１吸収部４０の表面及び第２吸収部４２の表面で外光を散乱することが可能となり、使用者に向かう外光を減らすことが可能となる。その結果、従来の反射型スクリーンと比較して、投写画像のコントラストのより一層の向上を図ることが可能となる。
【００６３】
また、実施形態１に係る反射型スクリーン１０によれば、反射部３０の表面が平滑面であるため、投写光を散乱することなく使用者に向けて反射することが可能となり、投写画像の明るさを損なうこともない。
【００６４】
実施形態１に係る反射型スクリーン１０においては、基材２０における凹凸部２２が鋸刃状の断面形状を有する山形形状からなるため、山形形状における一方の領域に反射部を形成することができ、斜めから投写される投写光を使用者に向けて反射することが可能となる。また、山形形状における他方の領域に第１吸収部を形成でき、明るい環境においても投写画像のコントラストの向上を図ることが可能となる。
【００６５】
実施形態１に係る反射型スクリーン１０においては、第２吸収部の溝状の形状における断面形状が四角形状からなるため、実施形態１に係る反射型スクリーン１０においては、第１吸収部４０で反射された外光が、第２吸収部４２に入り込みやすくなり、第１吸収部４０で吸収されずに反射された外光をより多く吸収することが可能となる。
【００６６】
［実施形態２］
図４は、実施形態２に係る反射型スクリーン１２を説明するために示す図である。図４（ａ）は反射型スクリーン１２の要部断面図であり、図４（ｂ）は図４（ａ）の符号Ａで示す部分を拡大して示す図である。
【００６７】
実施形態２に係る反射型スクリーン１２は、基本的には実施形態１に係る反射型スクリーン１０と同様の構成を有するが、第２吸収部の構成が実施形態１に係る反射型スクリーン１０とは異なる。すなわち、実施形態２に係る反射型スクリーン１２においては、図４に示すように、第２吸収部４４は、溝状の形状における断面形状が半円形状からなる。
【００６８】
このように、実施形態２に係る反射型スクリーン１２は、第２吸収部４４の構成が実施形態１に係る反射型スクリーン１０とは異なるが、第２吸収部４４を備えるため、実施形態１に係る反射型スクリーン１０と同様に、第１吸収部４０で吸収されずに反射された外光の少なくとも一部を吸収することが可能となり、その結果、従来の反射型スクリーンと比較して、投写画像のコントラストの一層の向上を図ることが可能となる。
【００６９】
また、実施形態２に係る反射型スクリーン１２によれば、第１吸収部４０で反射された外光が溝状の第２吸収部４４に入り込むようになり、第１吸収部４０で吸収されずに反射された外光の少なくとも一部を吸収することが可能となる。その結果、従来の反射型スクリーンと比較して、投写画像のコントラストのより一層の向上を図ることが可能となる。
【００７０】
実施形態２に係る反射型スクリーン１２においては、第２吸収部４４の溝状の形状における断面形状が半円形状からなるため、第１吸収部４０で反射された外光が、第２吸収部４４に入り込みやすくなり、第１吸収部４０で吸収されずに反射された外光をより多く吸収することが可能となる。
【００７１】
なお、実施形態２に係る反射型スクリーン１２は、第２吸収部の構成以外の点においては、実施形態１に係る反射型スクリーン１０と同様の構成を有するため、実施形態１に係る反射型スクリーン１０が有する効果のうち該当する効果をそのまま有する。
【００７２】
［実施形態３］
図５は、実施形態３に係る反射型スクリーン１４の正面図である。なお、図５においては、説明のために山形形状（凹凸部２２）の配列パターンを簡素化して図示している。
【００７３】
実施形態３に係る反射型スクリーン１４は、基本的には実施形態１に係る反射型スクリーン１０と同様の構成を有するが、山形形状の配列パターンが実施形態１に係る反射型スクリーン１０とは異なる。すなわち、実施形態３に係る反射型スクリーン１４においては、図５に示すように、山形形状の配列パターンは、当該反射型スクリーンを使用者側から見たとき、山形形状が円弧に沿って形成された配列パターンからなる。
【００７４】
このように、実施形態３に係る反射型スクリーン１４は、山形形状の配列パターンが実施形態１に係る反射型スクリーン１０とは異なるが、第２吸収部４２を備えるため、実施形態１に係る反射型スクリーン１０と同様に、第１吸収部４０で吸収されずに反射された外光の少なくとも一部を吸収することが可能となり、従来の反射型スクリーンと比較して、投写画像のコントラストの一層の向上を図ることが可能となる。
【００７５】
また、実施形態３に係る反射型スクリーン１４によれば、第１吸収部４０で反射された外光が溝状の第２吸収部４２に入り込むようになり、第１吸収部４０で吸収されずに反射された外光の少なくとも一部を吸収することが可能となる。その結果、従来の反射型スクリーンと比較して、投写画像のコントラストのより一層の向上を図ることが可能となる。
【００７６】
また、実施形態３に係る反射型スクリーン１４によれば、山形形状の配列パターンは、当該反射型スクリーンを使用者側から見たとき、山形形状が円弧に沿って形成された配列パターンからなるため、より多くの投写光を反射型スクリーンの正面にいる使用者に向けて反射することが可能となる。
【００７７】
なお、実施形態３に係る反射型スクリーン１４は、山形形状の配列パターン以外の点においては、実施形態１に係る反射型スクリーン１０と同様の構成を有するため、実施形態１に係る反射型スクリーン１０が有する効果のうち該当する効果をそのまま有する。
【００７８】
以上、本発明を上記の実施形態に基づいて説明したが、本発明は上記の実施形態に限定されるものではない。その趣旨を逸脱しない範囲において種々の様態において実施することが可能であり、例えば、次のような変形も可能である。
【００７９】
（１）上記各実施形態においては、凹凸部が鋸刃状の断面形状を有する山形形状からなる反射型スクリーンを例示して説明したが、本発明はこれに限定されるものではない。図６は、変形例に係る反射型スクリーン１６を説明するために示す図である。図６（ａ）は変形例に係る反射型スクリーン１６の正面図である。図６（ｂ）は反射型スクリーン１６の要部断面図であり、図６（ｃ）は図６（ｂ）の符号Ａで示す部分を拡大して示す図である。なお、図６においては、説明のために凹部の数を減らして図示している。変形例に係る反射型スクリーン１６においては、図６に示すように、凹凸部が半球状の凹部５２からなる。
本発明は、図６に示すような、凹凸部が半球状の凹部からなる反射型スクリーンにも適用可能である。
【００８０】
（２）上記実施形態１においては、第２吸収部の溝状の形状における断面形状が四角形状からなる場合を例示して説明したが、本発明はこれに限定されるものではない。第２吸収部の溝状の形状における断面形状が四角形状以外の多角形状（例えば、三角形状や五角形状等。）からなるものであってもよい。
【００８１】
（３）上記実施形態２においては、第２吸収部の溝状の形状における断面形状が半円形状からなる場合を例示して説明したが、本発明はこれに限定されるものではない。第２吸収部の溝状の形状における断面形状が半円以外の曲線形状を有する形状からなるものであってもよい。
【００８２】
（４）上記実施形態１においては、第１吸収部４０の表面及び第２吸収部４２の表面が粗面からなり、反射面３０の表面が平滑面からなる場合を例示して説明したが、本発明はこれに限定されるものではない。反射部の表面、第１吸収部の表面及び第２吸収部の表面が粗面からなってもよい。このような構成とすることによっても、第１吸収部の表面及び第２吸収部の表面で外光を散乱することが可能となり、使用者に向かう外光を減らすことが可能となる。その結果、従来の反射型スクリーンと比較して、投写画像のコントラストのより一層の向上を図ることが可能となる。また、反射部の表面、第１吸収部の表面及び第２吸収部の表面が粗面からなるため、反射部の表面を除外することなく粗面加工（マイクロビーズの吹きつけ加工等）をして反射型スクリーンを製造することができ、反射型スクリーンの製造工程が容易となり、ひいては、反射型スクリーンの製造コストの低減を図ることが可能となる。
【符号の説明】
【００８３】
１…プロジェクター、２…反射ミラー、１０，１２，１４，１６…反射型スクリーン、２０，５０…基材、２２…凹凸部、２４…（山形形状の）峰、３０，６０…反射部、４０，７０…第１吸収部、４２，４４，７２…第２吸収部、５２…凹部
【図１】
2012252034.tif 000003
【図２】
2012252034.tif 000004
【図３】
2012252034.tif 000005
【図４】
2012252034.tif 000006
【図５】
2012252034.tif 000007
【図６】
2012252034.tif 000008